(57)【要約】【課題】  オフィス業務用の多重機能周辺機器などの電子機器の上部本体を安定に支持して開閉過程間の急激な落下を防止する。【解決手段】  オフィス業務用のコピーやファックスやスキャンなどの多重機能周辺機器などの電子機器の下部本体上に配置されてかつネジ面を具えた回転要素と、電子機器の上部本体上に配置された第１のギアと、一方の側で該第１のギアと噛み合い他方の側で回転要素のネジ面と噛み合う第２のギアと、回転要素の下方に配置された第１の抵抗トルク提供要素と、第１の抵抗トルク提供要素の下方に配置された第２の抵抗トルク提供要素とを有してなり、第１・第２の抵抗トルク提供要素が逆方向の抵抗トルクを提供する。【選択図】  図２
2008022536.tif 000002
【特許請求の範囲】
【請求項１】
下部本体を具えた電子機器の上部本体を支持し、該上部本体が該下部本体を軸承回転する支持装置であって、
該下部本体上に配置されてかつネジ面を具えた回転要素と、
該上部本体上に配置された第１のギアと、
一方の側で該第１のギアと噛み合い他方の側で該回転要素のネジ面と噛み合う第２のギアと、
該回転要素の下方に配置された第１の抵抗トルク提供要素と、
該第１の抵抗トルク提供要素の下方に配置された第２の抵抗トルク提供要素と
を有してなり、
該第１および第２の抵抗トルク提供要素が逆方向の抵抗トルクを提供する
ことを特徴とする支持装置。
【請求項２】
該第１および第２のギアが逆の回転方向を有しており、該回転要素のネジ面が連続ネジ面であることを特徴とする請求項１に記載の装置。
【請求項３】
該第１の抵抗トルク提供要素がバネであって、該第２の抵抗トルク提供要素がバネであることを特徴とする請求項１に記載の装置。
【請求項４】
さらに制御カラーが設けられており、該制御カラーが該第１の抵抗トルク提供要素と該第２の抵抗トルク提供要素との間に配置されており、該第２の抵抗トルク提供要素に近い第１の抵抗トルク提供要素の端部が該制御カラーに固定されており、該第１の抵抗トルク提供要素に近い第２の抵抗トルク提供要素の端部が該制御カラーに固定されていることを特徴とする請求項１に記載の装置。
【請求項５】
該第１の抵抗トルク提供要素が摩擦ディスクであり、該第２の抵抗トルク提供要素が摩擦ディスクであり、該第１および第２の抵抗トルク提供要素が重合的にかつ択一的に配置されており、該第１および第２の抵抗トルク提供要素のいずれかが該回転要素の軸に固定されていることを特徴とする請求項１に記載の装置。
【請求項６】
該第１または第２の抵抗トルク提供要素が渦巻きバネであることを特徴とする請求項１に記載の装置。
【請求項７】
さらに該第２の抵抗トルク提供要素の下方に支持フレームが配置されていることを特徴とする請求項１に記載の装置。
【請求項８】
該電子機器の上部本体が自動書面供給器、イメージ入力装置、ダストカバーまたはこれらの組合せであることを特徴とする請求項１に記載の装置。
【発明の詳細な説明】
【技術分野】
【０００１】
この発明は支持装置に関するものであり、特に上昇可能な上部本体を具えた電子機器用の支持装置に関するものである。
【背景技術】
【０００２】
電子技術の発展とともに、多重機能を具えた電子装置が開発されている。多重機能周辺機器（ＭＦＰ）を例にとると、コピー、ファックス、プリントおよびスキャンなどの多重機能を具えているが故に、単一の電子装置上において複数のオフィス業務が行われ占拠面積が非常に減少する。さらに組立作業が従来より容易となり、多重機能周辺機器（ＭＦＰ）はインターネットケーブル、電話線および電力コードなどを介してコンピューターと一緒に使われる。したがって近年一般的な製品となっている。
【０００３】
多重機能周辺機器（ＭＦＰ）は一般に自動書面供給器（ＡＤＦ）とイメージ入力装置を具えている。多重機能周辺機器の内部エンジンが保全または修理される場合には、自動書面供給器とイメージ入力装置とは開く必要がある。蝶番またはリンク機構がイメージ入力装置と多重機能周辺機器との連結部に据付けられている。しかし自動書面供給器とイメージ入力装置とは非常に重いので、蝶番またはリンク機構は安定に自動書面供給器およびイメージ入力装置を支持できず、これらが急激に落下して危険である。
【０００４】
図１に多重機能周辺機器（ＭＦＰ）に搭載された従来の支持装置を示す。上部本体１０１と下部本体１０２との間に配置された該支持装置１は蝶番１１、バネ１２、上部カバー１３および下部カバー１４を有しており、該バネ１２は蝶番１１にスリーブ連結され、蝶番１１の一端は上部カバー１３に固定され、他端は下部カバー１４に固定されている。
【０００５】
多重機能周辺機器（ＭＦＰ）の上部本体１０１が上方に動かされて開きまたは下方に動かされて閉じると、蝶番１１とバネ１２の長さは上部本体１０１の開閉角度に応じて同時に長くまたは短くされる。これらの長さはその可撓性の故に変更可能であり、これにつれて抵抗トルクが発生されて、上部本体１０１を支持する。
【０００６】
支持装置の占拠体積と面積とは小さくして多重機能周辺機器（ＭＦＰ）のサイズと見合う必要がある。したがって、蝶番１１とバネ１２のサイズと長さは制約され、発生された抵抗トルクもまた制約される。上部本体１０１の重量、特に重い自動書面供給器（ＡＤＦ）およびイメージ入力装置は限界を越え、支持装置は上部本体１０１をよく支持できず、上部本体１０１が落下することがある。この結果、内部電子要素が損傷され、使用者にとっても危険である。
【０００７】
したがって上記したような従来技術の欠点を克服した支持装置が必要となる。
【発明の開示】
【発明が解決しようとする課題】
【０００８】
この発明の目的は電子機器の上部本体を安定に支持して開閉過程間の急激な落下を防止することにある。
【課題を解決するための手段】
【０００９】
このためこの発明の支持装置は、下部本体上に配置されてかつネジ面を具えた回転要素と、上部本体上に配置された第１のギアと、一方の側で該第１のギアと噛み合い他方の側で回転要素のネジ面と噛み合う第２のギアと、回転要素の下方に配置された第１の抵抗トルク提供要素と、第１の抵抗トルク提供要素の下方に配置された第２の抵抗トルク提供要素とを有してなり、第１および第２の抵抗トルク提供要素が逆方向の抵抗トルクを提供することを要旨とするものである。
【発明の効果】
【００１０】
この発明の支持装置はギア列と抵抗トルク提供要素とを有しており、開閉過程中に上部本体の重量荷重を小さくして、電子機器の上部本体を安定に支持する。さらに、上部本体の開閉角度に拘わらず、該支持装置は上部本体を支持するのに充分な抵抗トルクを提供し、急激な落下を防止して、安定性と安全性とが増加される。
【００１１】
好ましくは、第１および第２のギアは逆の回転方向を有するものである。
【００１２】
好ましくは、回転要素のネジ面は連続ネジ面である。
【００１３】
一実施例においては、第１の抵抗トルク提供要素はバネであり、第２の抵抗トルク提供要素もバネである。
【００１４】
一実施例においては、さらに制御カラーが第１および第２の抵抗トルク提供要素間に配置されている。第２の抵抗トルク提供要素に近い第１の抵抗トルク提供要素の一端は制御カラーに固定され、第１の抵抗トルク提供要素に近い第２の抵抗トルク提供要素の一端は制御カラーに固定されている。
【００１５】
一実施例においては、第１の抵抗トルク提供要素は摩擦ディスクであり第２の抵抗トルク提供要素も摩擦ディスクである。
【００１６】
一実施例においては、第１および第２の抵抗トルク提供要素は重合的かつ択一的に配置されている。
【００１７】
一実施例においては、第１の抵抗トルク提供要素が回転要素の軸に固定され、他の実施例においては第２の抵抗トルク提供要素が回転要素の軸に固定されている。
【００１８】
一実施例においては、第１または第２の抵抗トルク提供要素は渦巻きバネである。
【００１９】
一実施例においては、さらに支持フレームが第２の抵抗トルク提供要素の下方に配置されている。
【００２０】
例えば電子機器の上部本体は自動書面供給器、イメージ入力装置、ダストカバーまたはそれらの組合せである。
【実施例】
【００２１】
この発明は電子機器の上部本体の重量を支持する支持装置に係るものであって、上部本体の開閉作業中の上部本体の落下を防止するものであり、さらに上部本体中の電子要素を保護するものである。該支持装置はコピー機、ファックス機、スキャナー、多重機能周辺機器その他同様な電子装置などのオフィス機器に応用できるものである。
【００２２】
図２において、この発明の支持装置の第１の好ましき実施例においては、電子機器２０は上部本体２０１と下部本体２０２を有しており、上部本体２０１は下部本体２０２に対して軸承回転可能である。該支持装置は回転要素２１、第１のギア２２、第２のギア２３、第１の抵抗トルク提供要素２４および第２の抵抗トルク提供要素２５を有している。
【００２３】
回転要素２１は例えばウォームであり、電子機器２０の下部本体２０２に固定され、連続的なネジ面を有している。第１のギア２２は電子機器２０の上部本体２０１に固定され、第２のギア２３は第１のギア２２と一方の側で噛み合い他方の側で回転要素２１の連続ネジ面と噛み合っている。
【００２４】
第１の抵抗トルク提供要素２４は回転要素２１の下方に配置されて、第１の抵抗トルクを特定の方向に与えている。第２の抵抗トルク提供要素２５は第１の抵抗トルク提供要素２４の下方に配置されて、第２の抵抗トルクを特定の方向に与えている。例えば、第１の抵抗トルク提供要素２４と第２の抵抗トルク提供要素２５とはクラッチバネなどのバネである。
【００２５】
図３において制御カラー２７は第１の抵抗トルク提供要素２４と第２の抵抗トルク提供要素２５との間に配置され、第１の抵抗トルク提供要素２４の第２の抵抗トルク提供要素２５に近い端部は制御カラー２７に固定され、第２の抵抗トルク提供要素２５の第１の抵抗トルク提供要素２４に近い端部は制御カラー２７に固定されている。
【００２６】
上部本体２０１が閉じられて下方に動かされると、第１のギア２２は反時計方向に回転し、第２のギア２３は時計方向に回転する。この間回転要素２１は第２のギア２３により駆動されて時計方向に回転する（上から見て）。
【００２７】
この間、第１の抵抗トルク提供要素２４は回転要素２１と制御カラー２７とを第１の抵抗トルク提供要素２４の下方に巻き上げる。第２の抵抗トルク提供要素２５は第１の抵抗トルク提供要素２４とは逆の回転方向を有しており、第２の抵抗トルク提供要素２５により与えられる第２の抵抗トルクは第１の抵抗トルク提供要素２４により与えられる第１の抵抗トルクとは逆の回転方向を有する。
【００２８】
これにより、第２の抵抗トルクは回転要素２１の回転トルクおよび第１の抵抗トルクと釣り合う。これにより、上部本体２０１が下方に動かされたとき、第１のギア２２上の重い荷重による巨大なトルクが、第１のギア２２と第２のギア２３と回転要素２１と第１の抵抗トルク提供要素２４と第２の抵抗トルク提供要素２５と、の連続作用により小さなトルクに低減される。したがって、支持装置は上部本体２０１の重量から発生する巨大なトルクを徐々に小さくしてゆき、これにより上部本体２０１は安定して支持されて急激に落下することはない。
【００２９】
これとは逆に、上部本体２０１が開かれて上方に動かされると、第１のギア２２と第２のギア２３とにより駆動された回転要素２１は反時計方向に回転する（上から見て）。第１の抵抗トルク提供要素２４と第２の抵抗トルク提供要素２５とにより与えられる第１の抵抗トルクと第２の抵抗トルクの回転方向はともに上部本体２０１の閉じる過程におけるそれとは逆であるが、第１および第２の抵抗トルクは逆の回転方向を有し互いに釣り合うことができる。したがって、上部本体２０１が開かれるときには、支持装置は上部本体２０１を安定して支持できる。
【００３０】
この実施例においては、上部本体２０１の開閉過程に関係なく第１の抵抗トルク提供要素２４と第２の抵抗トルク提供要素２５とは反発する状態にある。上記したように、閉過程では第１の抵抗トルク提供要素２４は錠止状態にあり、第２の抵抗トルク提供要素２５が抵抗トルクを与える。開過程では第２の抵抗トルク提供要素２５が錠止状態にあり、第１の抵抗トルク提供要素２４が抵抗トルクを与える。
【００３１】
周知の機械的な設計により、第１および第２の抵抗トルクは異なる大きさにできる。例えば、開過程中は小さな抵抗トルクを与えて上部本体２０１を容易に開くことができる。閉過程中には大きな抵抗トルクを与えて上部本体２０１の脱落に抵抗するようにする。
【００３２】
図４にこの発明の第２の実施例を示す。図示のように図２、３に示すバネを別として、第１および第２の抵抗トルク提供要素３１、３２は摩擦ディスクでよく、両要素３１、３２は重合的かつ択一的に配置されている。
【００３３】
一方の第１および第２の抵抗トルク提供要素３１、３２は回転要素２１の軸に固定されており、他方の抵抗トルク提供要素は支持フレーム２８に固定されている。回転要素２１に固定された第１の抵抗トルク提供要素３１を例にとると、回転要素２１が時計方向に回転すると、第１の抵抗トルク提供要素３１も時計方向に回転する。第１および第２の抵抗トルク提供要素３１、３２はともに摩擦ディスクであるので、第１の抵抗トルク提供要素３１により提供される第１の抵抗トルク（すなわち摩擦力）は第２の抵抗トルク提供要素３２により提供される第２の抵抗トルクと釣り合う。したがって、支持装置は徐々に上部本体２０１の重量荷重から発生する巨大なトルクを小さくすることができ、上部本体２０１は安定して支持されて、急激に落下することはない。
【００３４】
上部本体２０１の開閉過程の間、異なる回転方向が発生され、結果としての軸方向成分力の方向と大きさもまた異なる。軸方向成分力の差異の故に、摩擦ディスクシステムは異なる摩擦抵抗を発生し、これが一種の抵抗トルクとなる。
【００３５】
換言すると、開閉過程の間支持装置は２種の異なる抵抗トルクを提供する。上部本体２０１を開くには小さい力だけが必要であり、支持装置は大きな抵抗を提供して上部本体２０１を支持し、かつ閉過程中に急激に落下するのを防止する。
【００３６】
図５に示す第３の実施例においては、第１の抵抗トルク提供要素３３が渦巻きバネであり、第２の抵抗トルク提供要素３２は普通のバネである。図２に示す第１の抵抗トルク提供要素２４と比べると、第１の抵抗トルク提供要素２４により提供される第１の抵抗トルクは一定力であるが、第１の抵抗トルク提供要素３３により提供される第１の抵抗トルクの大きさは上部本体２０１の開角度と線型関係にある。
【００３７】
換言すると、第１の抵抗トルクは上部本体２０１の開閉角度および重量荷重に応じて調節可能である。上部本体２０１の開角度が非常に小さい場合でさえも、支持装置は充分な抵抗トルクを提供して、上部本体２０１を安定に支持してかつその急激な落下を防止できるのである。
【００３８】
上記実施例における第１および第２の抵抗トルク提供要素の全ての例は入れ換えることができる。第１および第２の抵抗トルク提供要素には抵抗トルクを発生できる要素ならなんでも使用できる。加えて、支持フレーム２８は回転要素の下方に配置されて回転要素と第１および第２の抵抗トルク提供要素を固定・支持する。各要素の集合方法は限定されるものではなく、第１および第２の抵抗トルク提供要素の位置は交換され得るものであり、唯一必要なのは第１および第２の抵抗トルク提供要素が逆方向に抵抗トルクを提供して互いに釣合って上部本体の重量荷重を小さくして、上部本体を支持するということである。
【００３９】
この発明の実施例においては、上部本体は自動書面供給器（ＡＤＦ）、イメージ入力装置、ダストカバーまたはこれらの組合せであり得る。
【産業上の利用可能性】
【００４０】
この発明は電子工業の分野において広く利用されるものである。
【図面の簡単な説明】
【００４１】
【図１】多重機能周辺機器（ＭＦＰ）上の従来の支持装置の模型図である。
【図２】この発明の支持装置の第１の実施例の模型図である。
【図３】図２の一部拡大図である。
【図４】この発明の支持装置の第２の実施例の模型図である。
【図５】この発明の支持装置の第３の実施例の模型図である。
【符号の説明】
【００４２】
２０    電子機器
２１    回転要素
２２    第１のギア
２３    第２のギア
２４    第１の抵抗トルク提供要素
２５    第２の抵抗トルク提供要素
２７    制御カラー
２８    支持フレーム
【図１】
2008022536.tif 000003
【図２】
2008022536.tif 000004
【図３】
2008022536.tif 000005
【図４】
2008022536.tif 000006
【図５】
2008022536.tif 000007